(57)【要約】【課題】  電子表示装置の情報表示部で表示される表示方向は、固定されているため、電子表示装置で表示する書籍の本文の表示方向によっては、本文の表示方向が示唆するページめくり方向と、表表紙に該当する情報表示部の位置とが不自然な関係となり、電子表示装置の使用者に対して違和感を与えていた。【解決手段】  電子表示装置は、電子書籍の本文を表示する本文表示部と、当該本文表示部が設けられた面とは異なる面に設けられ、当該本文に対応付けた書誌的事項を表示する情報表示部と、当該本文の文字の組み方に基づいて、当該本文表示部および当該情報表示部で表示する方向を規定する表示方向規定手段とを備える。【選択図】      図１
2005274691.tif 000002
【特許請求の範囲】
【請求項１】
電子書籍の本文を表示する電子表示装置であって、
当該本文を表示する本文表示部と、
当該本文表示部が設けられた面とは異なる面に設けられ、当該本文に対応付けた書誌的事項を表示する情報表示部と、
当該本文の文字の組み方に基づいて、当該本文表示部および当該情報表示部で表示する方向を規定する表示方向規定手段とを備えることを特徴とする電子表示装置。
【請求項２】
請求項１に記載の電子表示装置において、
前記電子表示装置は、開閉可能に結合された第１の筐体と第２の筐体とを更に備え、
前記表示方向規定手段は、前記第１の筐体と前記第２の筐体とが開く方向に基づいて、前記本文表示部および前記情報表示部で表示する方向を更に規定することを特徴とする電子表示装置。
【請求項３】
請求項２に記載の電子表示装置において、
前記本文表示部は、前記２つの筐体の少なくとも一方の側にあって、前記２つの筐体が閉じた状態での内側に設けられていると共に、
前記情報表示部は、前記第１の筐体および前記第２の筐体が閉じられているときに、外部から視認可能であることを特徴とする電子表示装置。
【請求項４】
請求項２乃至３のいずれかに記載の電子表示装置において、
前記表示方向規定手段は、前記本文の表示方向が、前記２つの筐体が開閉する開閉軸に平行に縦組みの場合、
前記第１の筐体と前記第２の筐体とが右開きになるように、前記情報表示部の表示方向を規定することを特徴とする電子表示装置。
【請求項５】
請求項２乃至３のいずれかに記載の電子表示装置において、
前記表示方向規定手段は、前記本文の表示方向が、前記２つの筐体が開閉する開閉軸に直交に横組みの場合、
前記第１の筐体と前記第２の筐体とが左開きになるように、前記情報表示部の表示方向を規定することを特徴とする電子表示装置。
【請求項６】
請求項２乃至３のいずれかに記載の電子表示装置において、
前記表示方向規定手段は、前記本文の表示方向が、前記２つの筐体が開閉する開閉軸に平行に横組みの場合、
前記第１の筐体と前記第２の筐体とが上綴じになるように、前記情報表示部の表示方向を規定することを特徴とする電子表示装置。
【請求項７】
請求項１乃至６のいずれか一項に記載の電子表示装置において、
前記本文表示部および前記情報表示部の少なくとも一方は、電力非供給時に表示内容を保持する記憶性を有することを特徴とする電子表示装置。
【請求項８】
請求項１乃至７のいずれか一項に記載の電子表示装置において、
前記電子表示装置は、偶数個で同一の形状から成り、前記電子表示装置を操作する入力手段を更に備え、
当該入力手段は、前記本文表示部の中心位置から点対称な位置に設けられていることを特徴とする電子表示装置。
【発明の詳細な説明】
【技術分野】
【０００１】
本発明は、電子的に記録されている書籍の内容を表示する電子表示装置に関する。
【背景技術】
【０００２】
従来、電子書籍を表示する電子表示装置は、下記の特許文献１に記載のように、書籍としての表表紙および背表紙に該当する筐体の部分に情報表示部を設け、情報表示部では、電子書籍の書籍の題名、著者、出版社などの書誌的事項を表示していた。
【０００３】
【特許文献１】特開２００２−１０８２５４
【発明の開示】
【発明が解決しようとする課題】
【０００４】
しかしながら、情報表示部で表示される表示方向は固定されているため、電子表示装置で表示する書籍の本文の表示方向によっては、本文の表示方向が示唆するページめくり方向と、表表紙に該当する情報表示部の位置とが不自然な関係となり、電子表示装置の使用者に対して違和感を与えていた。
【課題を解決するための手段】
【０００５】
上記した課題を解決するために、本発明の電子表示装置は、電子書籍の本文を表示する電子表示装置であって、当該本文を表示する本文表示部と、当該本文表示部が設けられた面とは異なる面に設けられ、当該本文に対応付けた書誌的事項を表示する情報表示部と、当該本文の文字の組み方に基づいて、当該本文表示部および当該情報表示部で表示する方向を規定する表示方向規定手段とを備えることを特徴とする。
【０００６】
上記構成によれば、表示方向規定手段は、本文の文字の組み方に応じて、本文表示部および情報表示部で表示する方向を規定するため、電子表示装置の使用者に対して違和感を与えない電子表示装置を提供できる。
【０００７】
上記した本発明の電子表示装置では、前記電子表示装置は、開閉可能に結合された第１の筐体と第２の筐体とを更に備え、前記表示方向規定手段は、前記第１の筐体と前記第２の筐体とが開く方向に基づいて、前記本文表示部および前記情報表示部で表示する方向を更に規定することが好ましい。
【０００８】
上記構成によれば、表示方向規定手段は、２つの筐体が開く方向に基づいて、本文表示部および情報表示部で表示する方向を規定するため、本文の表示方向が示唆するページめくり方向と、表表紙に該当する情報表示部の位置および表示方向とが合致した電子表示装置を提供できる。
【０００９】
上記した本発明の電子表示装置では、前記本文表示部は、前記２つの筐体の少なくとも一方の側にあって、前記２つの筐体が閉じた状態での内側に設けられていると共に、前記情報表示部は、前記第１の筐体および前記第２の筐体が閉じられているときに、外部から視認可能であることが好ましい。
【００１０】
上記構成によれば、電子表示装置の本文表示部は、本文表示部を使わない際には２つの筐体の内部に隠れるため、本文表示部を容易に保護できる。加えて、情報表示部は、本文表示部を使わない際も外部から視認可能であるため、電子書籍に関する情報を容易に得ることができる。
【００１１】
上記した本発明の電子表示装置では、前記表示方向規定手段は、前記本文の表示方向が、前記２つの筐体が開閉する開閉軸に平行に縦組みの場合、前記第１の筐体と前記第２の筐体とが右開きになるように、前記情報表示部の表示方向を規定することが好ましい。
【００１２】
また、上記した本発明の電子表示装置では、前記表示方向規定手段は、前記本文の表示方向が、前記２つの筐体が開閉する開閉軸に直交に横組みの場合、前記第１の筐体と前記第２の筐体とが左開きになるように、前記情報表示部の表示方向を規定することが好ましい。
【００１３】
更に、上記した本発明の電子表示装置では、前記表示方向規定手段は、前記本文の表示方向が、前記２つの筐体が開閉する開閉軸に平行に横組みの場合、前記第１の筐体と前記第２の筐体とが上綴じになるように、前記情報表示部の表示方向を規定することが好ましい。
【００１４】
上記した本発明の電子表示装置では、前記本文表示部および前記情報表示部の少なくとも一方は、電力非供給時に表示内容を保持する記憶性を有することが好ましい。
【００１５】
上記構成によれば、電子表示装置の表示部は、電力を消費することなく表示内容を保持できるため、電子表示装置の消費電力を押さえることができる。
【００１６】
上記した本発明の電子表示装置では、前記電子表示装置は、偶数個で同一の形状から成り、前記電子表示装置を操作する入力手段を更に備え、当該入力手段は、前記本文表示部の中心位置から点対称な位置に設けられていることが好ましい。
【００１７】
上記構成によれば、入力手段は、本文表示部の中心位置から点対称な位置に設けられているため、本文表示部および情報表示部で表示する方向を規定した結果、電子表示装置を上下反転しても、入力手段は同じ位置に配置されるため、電子表示装置の使用者は電子表示装置を違和感無く操作できる。
【発明を実施するための最良の形態】
【００１８】
以下、本発明の実施形態について、電子表示装置の一例として、所定のページに区切られた電子書籍の内容を閲覧するための電子ブックリーダを用いて説明する。
【実施例】
【００１９】
図１は、本発明の実施例に係る電子ブックリーダ１の外観上の構成を示す外観構成図である。図１に示すように、電子ブックリーダ１は、書籍としての表紙に該当する第１の筐体１０Ａと、書籍としての裏表紙に該当する第２の筐体１０Ｂとが、背表紙部５０を介して開閉可能に結合されている。
第１の筐体１０Ａおよび第２の筐体１０Ｂの内側には、電子書籍の本文を表示する本文表示部２０と、電子ブックリーダ１を操作する操作ボタン４０とを備える。また、第１の筐体１０Ａの外側、即ち、書籍の表紙に該当する面の略中央には、電子書籍の書誌的情報を表示する第１の情報表示部３０Ａを備える。更に、背表紙部５０には、書誌的情報の一部である電子書籍のタイトルおよび著者名を表示する第２の情報表示部３０Ｂと、記憶媒体１００から電子書籍のデータを読み込む外部記憶装置１１０とを備える。ここで、第２の情報表示部３０Ｂは、背表紙部５０の略中央にある。第１の情報表示部３０Ａおよび第２の情報表示部３０Ｂは、第１の筐体１０Ａと第２の筐体１０Ｂとが閉じた状態においても、外部から表示内容を視認できる。
【００２０】
図２は、電子ブックリーダ１を開いて、本文表示部２０正面側からの電子ブックリーダ１の外観を示す外観図である。図２に示すように、電子ブックリーダ１は、２つの本文表示部２０を備える。一方の本文表示部２０Ｂは、図１で示したように、第２の筐体１０Ｂが閉じた状態での内側に備わり、他方の本文表示部２０Ａは、第１の筐体１０Ａが閉じた状態での内側に備わる。この２つの本体表示部（２０Ａ，２０Ｂ）は、電子書籍の本文をページで区切って表示する。
また、第１の筐体１０Ａおよび、第２の筐体１０Ｂの内側には、操作ボタン４０（４０Ａ〜４０Ｈ）を備える。これらの操作ボタン（４０Ａ〜４０Ｈ）は、電子ブックリーダ１を操作するための機能が割り付けられている。電子ブックリーダ１の使用者は、操作ボタン（４０Ａ〜４０Ｈ）を操作することで、電子ブックリーダ１の起動および終了、電子ブックリーダ１で表示する電子書籍の選択および外部記憶装置１１０からの電子書籍の読み込み、電子書籍のページ操作、本文を表示する方向の選択などを実行できる。
【００２１】
ここで、本文表示部２０で本文が表示される方向について述べる。図２において、電子ブックリーダ１は、書籍として右開きであり、本文は、第１の筐体１０Ａと第２の筐体１０Ｂとの開閉軸に平行方向に縦組み表示されている。ここで、操作ボタン４０の中から次のページの表示が選択された場合、電子書籍の次のページの内容は、右側の本文表示部２０Ａに表示され、その次のページの内容は、左側の本文表示部２０Ｂに表示される。即ち、使用者に対して、電子ブックリーダ１のページが右方向に開かれたような印象を与える。同様にして、ページめくり方向が異なる場合も、使用者に対してページめくり方向にページが開かれたような印象を与える。
【００２２】
また、電子ブックリーダ１は、電子書籍の内容または使用者の好みに応じて、本文表示部２０で表示する電子書籍の本文の組み方を使用者が選択できるような機能を備えている。例えば、電子書籍が小説の場合は、図２のように、２つの筐体（１０Ａ，１０Ｂ）の開閉軸に平行方向に縦組み表示が一般的であるが、使用者の好みによっては、２つの筐体（１０Ａ，１０Ｂ）の開閉軸に直交する方向への横組み表示や、２つの筐体（１０Ａ，１０Ｂ）の開閉軸に平行方向への横組み表示を、操作ボタン４０により選択できる。
【００２３】
更に、電子ブックリーダ１は、図示しない表示方向規定手段を有する。この表示方向規定手段は、本文の組み方が選択された場合、書籍のページめくり方向を、本文の組み方から一意的に決める。例えば、図２のように２つの筐体（１０Ａ，１０Ｂ）の開閉軸に平行方向に縦組み表示する場合、ページめくり方向は右開きとなり、２つの筐体（１０Ａ，１０Ｂ）の開閉軸に直交する方向への横組み表示する場合は、ページめくり方向は左開きとなる。更に、第１の筐体１０Ａと第２の筐体１０Ｂとの開閉軸に平行方向への横組み表示する場合は、上開きとなる。表示方向規定手段は後述する。
【００２４】
加えて、電子ブックリーダ１は、本文の組み方については、電子書籍の初期設定された組み方を維持して、書籍としてのページめくり方向のみを変更する機能も備える。例えば、電子書籍が漫画の場合は、本文の組み方に係らず、ページめくり方向は右開きであるのが一般的である。従って、使用者は操作ボタン４０により、本文の組み方は、初期設定された組み方を維持して、ページめくり方向のみを例えば右開きに選択できる。
【００２５】
図３は、第１の筐体１０Ａと第２の筐体１０Ｂとの開閉軸に直交する方向への横組み表示した場合（左開き）の電子ブックリーダ１の外観を示す外観図であり、図４は、第１の筐体１０Ａと第２の筐体１０Ｂとの開閉軸に平行方向への横組み表示した場合（上開き）の電子ブックリーダ１の外観を示す外観図である。
図１、図３および図４に示すように、電子ブックリーダ１は、本文表示部２０で表示される本文の組み方に従い、第１の筐体１０Ａと第２の筐体１０Ｂの開き方が規定されると共に、その開き方に合わせて、本文表示部２０および情報表示部３０での表示方向が変更される。例えば、使用者は、図１のように本文が縦向き表示され、表紙に備わる情報表示部３０が右開きを示唆する電子ブックリーダ１の本文の組み方を、横組み表示に変更した場合、本文表示部２０は、本文の組み方が縦組みから横組みに変更されるのに加えて、本文は上下方向に対して逆向きに変更される。また、情報表示部３０は、上下方向に対して逆向きに変更される。従って、使用者は、この電子ブックリーダ１の上下を逆向きに持ち替えることで、図３のように本文は横向きに表示され、表紙に備わる情報表示部３０は左開きを示唆する電子ブックリーダ１を使用できる。
ここで、操作ボタン（４０Ａ〜４０Ｈ）は、第１の筐体１０Ａと第２の筐体１０Ｂとの開閉軸に対称に配置されているため、電子ブックリーダ１を上下に反転した場合においても、これらの操作ボタン（４０Ａ〜４０Ｈ）は同じ位置に配置される。
【００２６】
図５は、電子ブックリーダ１のハードウェア構成を示すブロック図である。図５に示すように、電子ブックリーダ１は、ＣＰＵ（Central  Processing  Unit）１５１、ＲＡＭ（Random  Access  Memory）１５２、ＲＯＭ（Read  Only  Memory）１５３、操作ボタン４０、操作ボタン４０が接続されたＩ／Ｏ(Input Output)１５４、ＶＲＡＭ（Video  RAM）１５５、ディスプレイコントローラ１５６、フラッシュメモリ１５７、第１の電気泳動表示体２１１、第２の電気泳動表示体２２１、第３の電気泳動表示体２３１、電池残量検出回路１８１および記憶媒体ドライブ１１１で構成される。この中で、操作ボタン４０、第１の電気泳動表示体２１１、第２の電気泳動表示体２２１および第３の電気泳動表示体２３１を除く各部はバス１９０で互いに信号を授受可能に接続されている。
【００２７】
ＣＰＵ１５１は、ＲＯＭ１５３に格納された基本制御プログラムやアプリケーションプログラムなどの各種プログラム及びデータを読み込み、それら各種プログラム及びデータをＲＡＭ１５２内に設けられるワークエリアに展開実行して、電子ブックリーダ１が備える各部の制御を実行する。
ディスプレイコントローラ１５６は、ＣＰＵ１５１からの指示に従って、ＶＲＡＭ１５５に格納されたデータを、第１の電気泳動表示体２１１、第２の電気泳動表示体２２１および第３の電気泳動表示体２３１に振り分けて表示させる。ここで、第１の電気泳動表示体２１１、第２の電気泳動表示体２２１および第３の電気泳動表示体２３１は、それぞれ、本文表示部２０、第１の情報表示部３０Ａおよび第２の情報表示部３０Ｂの表示手段として機能する。
フラッシュメモリ１５７は、ＣＰＵ１５１からの指示に従って、転送されるデータを記憶する記憶手段である。転送されるデータは、電子書籍の本文および本文に対応付けた書誌的事項である。
【００２８】
ここで、電気泳動方式の表示体について図示を略して概説する。電気泳動方式の表示体は、電位差による電気泳動により移動する性質を有する有機あるいは無機の粒子（電気泳動粒子）が内部に封入されたマイクロカプセルを、２種類の色にそれぞれ着色して表示体の透明電極を有する基板間に混入させて製造する。製造された表示体に対して、透明電極から電圧印加することによって、電気泳動粒子は一方の電極上に堆積するため、マイクロカプセルは同一方向に揃う。従って、表示体の観察者は、マイクロカプセル上に着色された一方の色を見ることになる。また、透明電極の印加電圧を逆極とすることで、マイクロカプセルは他方の向きとなるため、表示体の観察者は、マイクロカプセル上に着色された他方の色を見ることになる。更に、電圧印加により整列したマイクロカプセルは、印加した電圧を解除されても、双方の整列方向が安定して維持されるため、表示体における表示内容は保持される。
従って、電気泳動方式の表示体は、表示信号と、駆動電圧とが供給されることで、表示信号に従った表示を行い、以降、表示体の表示内容は、表示信号および駆動電圧が与えられなくても保持される。
【００２９】
また、電池残量検出回路１８１は、後述する電池残量検出部１８０を構成し、Ａ／Ｄコンバータおよび演算器などを備え、電子ブックリーダ１の駆動用電池残量を電池の電圧変化から検出する。
【００３０】
また、記憶媒体ドライブ１１１は、外部記憶装置１１０を構成し、電子書籍が記録されて着脱可能な記憶媒体１００から、電子書籍の内容の読み取りに加えて、記憶媒体１００への情報の書き込みもできる。ここで、記憶媒体１００は、スマートメディア、コンパクトフラッシュ（登録商標）、メモリスティック、マルチメディアカード、マイクロドライブ、ＳＤカードなどのあらゆる着脱可能な記憶媒体を適用できる。
【００３１】
前記した表示方向規定手段は、上記した電子ブックリーダ１のハードウェア資源と、ＲＯＭ１５３などに記憶されたソフトウェアとが有機的に協働して機能を実現している。
【００３２】
図６は、電子ブックリーダ１の表示方向規定手段の機能を示すアルゴリズムである。
表示方向規定手段は、電子書籍の本文が本文表示部２０で表示される方向が、変更された場合に処理を開始する。先ず、表示方向規定手段は、使用者が電子ブックリーダ１の操作ボタン（４０Ａ〜４０Ｈ）で設定したデータを読み込む（ステップＳ７０）。
次に、読み込んだデータから、電子書籍の本文を本文表示部２０で表示する文字の組み方について設定された情報を取得する（ステップＳ７１）。
【００３３】
ここで、本文の文字の組み方が、第１の筐体１０Ａと第２の筐体１０Ｂとの開閉軸に平行な縦組みで表示するように設定されている場合（ステップＳ７２でＹＥＳ）、表示方向規定手段は、電子ブックリーダ１の第１の筐体１０Ａが右開きになるように、本文表示部２０および情報表示部３０Ａ，３０Ｂの表示方向を必要に応じて変更する（ステップＳ７３）。具体的には、図１に示すように、情報表示部３０Ａは、使用者が電子ブックリーダ１を右開きさせるような方向で表示する。ここで、使用者が第１の筐体１０Ａを右側に開くと、本文表示部２０が現れ、本文表示部２０は、電子書籍の本文を電子ブックリーダ１の正面右側の本文表示部２０の右上側から縦組みで表示する。なお、情報表示部３０Ｂは、本文表示部２０と同様に縦組みで表示する。
【００３４】
また、本文の文字の組み方が、第１の筐体１０Ａと第２の筐体１０Ｂとの開閉軸に平行な縦組みで表示するように設定されていない場合（ステップＳ７２でＮＯ）、本文表示部２０の短手方向、即ち、第１の筐体１０Ａと第２の筐体１０Ｂとの開閉軸に直交する横組みで表示するように設定されているならば（ステップＳ７４でＹＥＳ）、表示方向規定手段は、電子ブックリーダ１の第１の筐体１０Ａが左開きになるように、本文表示部２０および情報表示部３０Ａ，３０Ｂの表示方向を必要に応じて変更する（ステップＳ７５）。具体的には、図３に示すように、情報表示部３０Ａは、使用者が電子ブックリーダ１を左開きさせるような方向で表示する。ここで、使用者が第１の筐体１０Ａを左側に開くと、本文表示部２０が現れ、本文表示部２０は、電子書籍の本文を電子ブックリーダ１の正面左側の本文表示部２０の左上側から横組みで表示する。なお、情報表示部３０Ｂは、縦組みで表示する。
【００３５】
更に、上記以外の方向、即ち、第１の筐体１０Ａと第２の筐体１０Ｂとの開閉軸に平行な横組みで表示するように設定されている場合（ステップＳ７４でＮＯ）、表示方向規定手段は、電子ブックリーダ１の第１の筐体１０Ａが上開きになるように、本文表示部２０および情報表示部（３０Ａ，３０Ｂ）の表示方向を必要に応じて変更する（ステップＳ７６）。具体的には、図４に示すように、情報表示部３０Ａは、使用者が電子ブックリーダ１を上開きさせるような方向で表示する。ここで、使用者が第１の筐体１０Ａを上側に開くと、本文表示部２０が現れ、本文表示部２０は、電子書籍の本文を電子ブックリーダ１の正面上側の本文表示部２０の左上側から横組みで表示する。なお、情報表示部３０Ｂは、横組みで表示する。
【００３６】
以上の処理により、表示方向規定手段は、本文表示部２０で表示される電子書籍の本文の文字の組み方に基づいて、電子書籍の表紙に該当する第１の筐体１０Ａの開き方向を規定すると共に、その開き方向に合わせて、本文表示部２０および情報表示部３０での表示方向を変更する。
【００３７】
上記した実施例の電子表示装置では、本文表示部２０および情報表示部３０は、供給する電源を遮断しても表示内容および記憶内容は保持されるため、読書途中でも電池を交換できる。
【００３８】
なお、本発明は前記した実施例に限定されるものではなく、本発明の目的を達成できる範囲での変形や改良は、本発明に含まれるものである。
例えば、本文表示部２０および情報表示部３０の表示媒体は、電気泳動方式による表示体としたが、コレステリック液晶による表示体のような、記憶性を備えた表示体を用いても良い。
【００３９】
また、情報表示部３０で表示する項目は、電子書籍の本文に対応付けた書誌的事項のみに限らず、電子ブックリーダ１の電池残量表示や、フラッシュメモリ１５７または記憶媒体１００のメモリの残量表示など、電子ブックリーダ１の能力に関する状態を示す項目も併せて表示しても良い。
【００４０】
更に、電子ブックリーダ１への電子書籍データの転送方法は、記憶媒体１００の移し変えによる転送に限らず、ケーブルや無線を介した転送であっても良い。
【図面の簡単な説明】
【００４１】
【図１】本発明の実施例に係る電子ブックリーダの外観上の構成を示す外観構成図。
【図２】本文表示部正面からの電子ブックリーダの外観を示す外観図。
【図３】左開きの電子ブックリーダの外観を示す外観図。
【図４】上開きの電子ブックリーダの外観を示す外観図。
【図５】電子ブックリーダのハードウェア構成を示すブロック図。
【図６】電子ブックリーダの表示方向規定手段の機能を示すアルゴリズム。
【符号の説明】
【００４２】
１…電子ブックリーダ、１０Ａ…筐体、１０Ｂ…筐体、２０…本文表示部、３０…情報表示部、４０…操作ボタン、５０…背表紙部、１００…記憶媒体、１１０…外部記憶装置、１１１…記憶媒体ドライブ、１５１…ＣＰＵ、１５２…ＲＡＭ、１５３…ＲＯＭ、１５５…ＶＲＡＭ、１５６…ディスプレイコントローラ、１５７…フラッシュメモリ、１８０…電池残量検出部、１８１…電池残量検出回路、２１１，２２１，２３１…電気泳動表示体。
【図１】
2005274691.tif 000003
【図２】
2005274691.tif 000004
【図３】
2005274691.tif 000005
【図４】
2005274691.tif 000006
【図５】
2005274691.tif 000007
【図６】
2005274691.tif 000008